(57)【要約】【課題】事務所ビル等に使用される送風機器において、温度ヒューズの溶断を検知することを目的とする。【解決手段】電動機５の巻線５ａに直列に接続した温度ヒューズ１０と、電動機５の巻線５ａと並列にリレーコイル１１ａを接続した異常検知リレー１１を備え、異常検知リレー１１は、電動機５の巻線５ａに通電されているときには接点１１ｂを開放し、温度ヒューズ１０が作動した時に接点１１ｂが閉となるという構成を有する。これにより、運転時、異常検知リレー１１のリレーコイル１１ａの両端には電源電圧が印加され接点１１ｂが開となる。温度ヒューズ１０が作動するとリレーコイル１１ａの両端への電源電圧が遮断され異常検知リレー１１の接点１１ｂは閉となるので、温度ヒューズ１０の溶断を検知することができる。【選択図】図１
2013221721.tif 000002
【特許請求の範囲】
【請求項１】
室内の空気を吸い込む室内吸込口と、室内の空気を屋外に排出する屋外吹出口をその側面に有する箱状の機体に、前記機体の内部に回転により送風する羽根を電動機に装着し、前記羽根の外側にファンケーシングを設け、端子台とコンデンサーを内部に配置した電装ボックスを有する送風機であって、前記電動機の巻線に直列に接続した温度ヒューズと、前記電動機の巻線と並列にリレーコイルを接続した異常検知リレーを備え、前記異常検知リレーは、前記電動機の巻線に通電されているときには接点を開放し、温度ヒューズが作動した時に接点が閉となることを特徴とした送風機器。
【請求項２】
前記温度ヒューズを電動機の内部に設けたことを特徴とする請求項１記載の送風機器。
【請求項３】
前記異常検知リレーを電装ボックスの内部に設けたことを特徴とする請求項１記載の送風機器。
【請求項４】
電装ボックスの内部に第一の接点と第二の接点を有する運転・停止リレーを設け、運転・停止リレーの接点と前記異常検知リレーの第二の接点を直列に配列した請求項１記載の送風機器。
【発明の詳細な説明】
【技術分野】
【０００１】
本発明は、室内空気を屋外へ排出する送風機器にあたり、電動機の異常を検出する方法に関する。
【背景技術】
【０００２】
従来、この種の送風機器は、制御装置を搭載し、電動機の異常を異常ランプを点灯または点滅させるものが知られている。
【０００３】
以下、その送風機器について図６及び図７及び図８を参照しながら説明する。
【０００４】
図６、図７及び図８に示すように、従来の送風機器は、運転モードを設定する運転スイッチ１０７と、運転モードを表示する運転モードランプ１０８と、換気装置本体１０３の通風路の開閉のために設けられた電動ダンパー１０６を駆動するダンパー駆動手段１２０を備えている。そして、制御手段１１８は、運転スイッチ１０７の設定により運転モードを決定する運転設定手段１１６により信号を受けて換気風量を制御し、電動ダンパー１０６の開閉を制御する。モータ駆動手段１１９は、制御手段１１８の命令によりモータ１０５を駆動する。ダンパー駆動手段２２０またはモータ駆動手段１１９の動作状態を判断する異常検知手段１２３が異常と判断したとき、異常表示手段１２４により異常ランプ１０９を点灯または点滅させるとともに、異常部分を知らせるように運転モードランプ１０８を点滅させる構成であった。
【先行技術文献】
【特許文献】
【０００５】
【特許文献１】特開２００１−１０８２８８号公報
【発明の概要】
【発明が解決しようとする課題】
【０００６】
このような従来の送風機器においては、ダンパーの制御や換気風量の制御を兼ねるため制御基板を必要とする構成となっていたのでコスト高となるという課題を有していた。
【０００７】
そこで本発明は、上記従来の課題を解決するものであり、電動機内部に温度ヒューズを備える送風機器において温度ヒューズが動作した場合に動作を検知する安価な方法を提供することを目的とする。
【課題を解決するための手段】
【０００８】
そして、この目的を達成するために、本発明は、室内の空気を吸い込む室内吸込口と、
室内の空気を屋外に排出する屋外吹出口をその側面に有する箱状の機体に、機体の内部に回転により送風する羽根を電動機に装着し、羽根の外側にファンケーシングを設け、端子台とコンデンサーを内部に配置した電装ボックスを有する送風機器であって、
電動機の巻線に直列に接続した温度ヒューズと、電動機の巻線と並列にリレーコイルを接続した異常検知リレーを備え、異常検知リレーは、電動機の巻線に通電されているときには接点を開放し、温度ヒューズが作動した時に接点が閉となることを特徴とした送風機器機としたものであり、これにより所期の目的を達成するものである。
【発明の効果】
【０００９】
本発明によれば、室内の空気を吸い込む室内吸込口と、室内の空気を屋外に排出する屋外吹出口をその側面に有する箱状の機体に、機体の内部に回転により送風する羽根を電動機に装着し、羽根の外側にファンケーシングを設け、端子台とコンデンサーを内部に配置した電装ボックスを有する送風機器であって、電動機の巻線に直列に接続した温度ヒューズと、電動機の巻線と並列にリレーコイルを接続した異常検知リレーを備え、異常検知リレーは、電動機の巻線に通電されているときには接点を開放し、温度ヒューズが作動した時に接点が閉となるという構成にしたことにより、運転時、異常検知リレーのリレーコイル両端には電源電圧が印加され接点が開となる。温度ヒューズが作動するとリレーコイル両端への電源電圧が遮断され異常検知リレーの接点は閉となるので、温度ヒューズの溶断を検知することができるという効果を得ることができる。
【図面の簡単な説明】
【００１０】
【図１】本発明の実施の形態１の構成を示す側面図
【図２】同異常出力部分を示す回路図
【図３】本発明の実施の形態２の異常出力部分を示す回路図
【図４】本発明の実施の形態３の異常出力部分を示す回路図
【図５】本発明の実施の形態４の異常出力部分を示す回路図
【図６】従来の送風機器の構成を示す側面図
【図７】同異常出力部分を示す回路図
【図８】同制御ブロック図
【発明を実施するための形態】
【００１１】
本発明の請求項１記載の送風機器は、室内の空気を吸い込む室内吸込口と、室内の空気を屋外に排出する屋外吹出口をその側面に有する箱状の機体に、機体内部に回転により送風する羽根を電動機に装着し、羽根の外側にファンケーシングを設け、端子台とコンデンサーを内部に配置した電装ボックスを有する送風機器であって、電動機の巻線に直列に接続した温度ヒューズと、電動機の巻線と並列にリレーコイルを接続した異常検知リレーを備え、異常検知リレーは、電動機の巻線に通電されているときには接点を開放し、温度ヒューズが作動した時に接点が閉となるという構成を有する。これにより、運転時、異常検知リレーのリレーコイル両端には電源電圧が印加され接点が開となる。温度ヒューズが作動するとリレーコイル両端への電源電圧が遮断され異常検知リレーの接点は閉となるので、温度ヒューズの溶断を検知することができるという効果を奏する。
【００１２】
また、温度ヒューズを電動機の内部に設けるという構成にしてもよい。これにより、電動機内部の温度を検知するので、電動機がロックした時や異電圧が印加された時等電動機内部の温度が上昇する場合を検知することができるという効果を奏する。
【００１３】
また、異常検知リレーを電装ボックスの内部に設けるという構成にしてもよい。これにより、電装ボックスにて異常検知リレーに塵埃や水が接触することを防止するので、塵埃や水によるトラッキングを防止できるという効果を奏する。
【００１４】
また、電装ボックスの内部に第一の接点と第二の接点を有する運転・停止を設け、運転・停止リレーの第二の接点と異常検知リレーの接点を直列に配列するという構成にしてもよい。これにより送風機器を停止した場合に運転停止リレーの第一の接点は開となり、温度ヒューズが作動したときと同様に異常検知リレーの接点が閉となる。一方、運転停止リレーの第二の接点は開となる。よって出力される信号は開の信号となり異常時の閉の信号と異なるため温度ヒューズの溶断と送風機器の停止を判別できるという効果を奏する。
【００１５】
以下、本発明の実施の形態について図面を参照しながら説明する。
【００１６】
（実施の形態１）
図１及び図２に示すように、送風機器は、室内の空気を吸い込む室内吸込口２と、室内の空気を屋外に排出する屋外吹出口３をその側面に有する箱状の機体１の内部に、回転により送風する羽根６を電動機５に装着し、羽根６の外側にはファンケーシング７を有する。
【００１７】
また、端子台８とコンデンサー９を内部に配置した電装ボックス４を有する。
【００１８】
電動機５の巻線に直列に接続した温度ヒューズ１０と、電動機５の巻線５ａと並列にリレーコイル１１ａを接続した異常検知リレー１１を備え、異常検知リレー１１は、電動機５の巻線５ａに通電されているときには接点１１ｂを開放し、温度ヒューズ１０が作動した時に接点１１ｂが閉となるという構成を有する。
【００１９】
温度ヒューズ１０は規定の温度に達すると溶断するものや、金属製で規定の温度に達すると開放し、規定の温度未満となると復帰するものがある。これにより、運転時、異常検知リレー１１のリレーコイル１１ａ両端には電源電圧が印加され接点１１ｂが開となる。温度ヒューズ１０が作動するとリレーコイル１１ａ両端への電源電圧が遮断されると異常検知リレーの接点１１ｂは閉となるので、温度ヒューズ１０の溶断を検知することができるという効果を奏する。
【００２０】
（実施の形態２）
図３において、図１および図２と同様の構成要素については同一の符号を付し、その詳細な説明は省略する。
【００２１】
図３は異常出力部分を示す回路図である。図３において、温度ヒューズ１０を電動機５の内部に設けるという構成にしてもよい。これにより、電動機５内部の温度を検知するので、電動機５がロックした時や異電圧が印加された時等電動機５内部の温度が上昇する場合を検知するという効果を奏する。
【００２２】
（実施の形態３）
図４は異常出力部分を示す回路図である。図４において、異常検知リレー１１を電装ボックス４の内部に設けるという構成にしてもよい。これにより、電装ボックス４にて異常検知リレーに塵埃や水が接触することを防止するので、塵埃や水によるトラッキングを防止できるという効果を奏する。
【００２３】
（実施の形態４）
図５は異常出力部分を示す回路図である。図５において、電装ボックス４の内部に第一の接点１２ａと第二の接点１２ｂを有する運転・停止リレー１２を設け、運転・停止リレー１２の第二の接点１２ｂと異常検知リレー１１の接点１１ｂを直列に配列するという構成にしてもよい。これにより送風機器を停止した場合に運転停止リレーの第一の接点１２ａは開となり、温度ヒューズ１０が作動したときと同様に異常検知リレー１１の接点１１ｂが閉となる。一方、運転・停止リレー１２の第二の接点１２ｂは開となる。よって出力される信号は開の信号となり異常時の閉の信号と異なるため温度ヒューズ１０の溶断と送風機器の停止を判別できるという効果を奏する。
【産業上の利用可能性】
【００２４】
本発明にかかる送風機器は、温度ヒューズの溶断を検知することを可能とするものであるので、事務所ビルや公共機関等に使用される送風機器として有用である。
【符号の説明】
【００２５】
１      機体
２      室内吸込口
３      屋外吹出口
４      電装ボックス
５      電動機
５ａ    巻線
６      羽根
７      ファンケーシング
８      端子台
９      コンデンサー
１０    温度ヒューズ
１１    異常検知リレー
１１ａ  リレーコイル
１１ｂ  接点
１２    運転・停止リレー
１２ａ  第一の接点
１２ｂ  第二の接点
１０３  換気装置本体
１０５  モータ
１０６  電動ダンパー
１０７  運転スイッチ
１０８  運転モードランプ
１０９  異常ランプ
１１６  運転設定手段
１１８  制御手段
１１９  モータ駆動手段
１２０  ダンパー駆動手段
１２３  異常検知手段
１２４  異常表示手段
２２０  ダンパー駆動手段
【図１】
2013221721.tif 000003
【図２】
2013221721.tif 000004
【図３】
2013221721.tif 000005
【図４】
2013221721.tif 000006
【図５】
2013221721.tif 000007
【図６】
2013221721.tif 000008
【図７】
2013221721.tif 000009
【図８】
2013221721.tif 000010